(57)【要約】【課題】画像処理装置に文書を出力させる場合にあって、文書を出力できない画像処理装置に関する情報を送信してしまうことを抑制するようにした情報処理装置を提供する。【解決手段】情報処理装置の受付手段は、携帯情報処理装置の位置情報を受け付け、算出手段は、前記位置情報の示す位置と画像処理装置との位置との間の距離を算出し、選択手段は、前記距離に基づいて、画像処理装置を選択し、判断手段は、前記選択された画像処理装置では、予め定められた文書を出力できるか否かを判断し、送信手段は、前記判断手段によって出力できると判断された画像処理装置を示す情報を前記携帯情報処理装置に送信する。【選択図】図１
2015153374.tif 000002
【特許請求の範囲】
【請求項１】
携帯情報処理装置の位置情報を受け付ける受付手段と、
前記位置情報の示す位置と画像処理装置との位置との間の距離を算出する算出手段と、
前記距離に基づいて、画像処理装置を選択する選択手段と、
前記選択された画像処理装置では、予め定められた文書を出力できるか否かを判断する判断手段と、
前記判断手段によって出力できると判断された画像処理装置を示す情報を前記携帯情報処理装置に送信する送信手段
を具備することを特徴とする情報処理装置。
【請求項２】
前記携帯情報処理装置から位置情報が送信されてくる日時は、前記文書を出力する予定の日時前の予め定められた期間内である
ことを特徴とする請求項１に記載の情報処理装置。
【請求項３】
前記携帯情報処理装置の操作者によって、文書を出力する画像処理装置を選択する選択指示を受け付ける第２の受付手段と、
前記選択された画像処理装置を出力可能とする待機状態とさせる指示を該画像処理装置に送信する第２の送信手段
を具備することを特徴とする請求項１又は２に記載の情報処理装置。
【請求項４】
前記携帯情報処理装置の操作者によって、文書を出力する画像処理装置を選択する選択指示を受け付ける第２の受付手段と、
前記文書を前記選択された画像処理装置に送信する第３の送信手段
を具備することを特徴とする請求項１又は２に記載の情報処理装置。
【請求項５】
前記送信手段が送信する画像処理装置を示す情報は、前記携帯情報処理装置から該画像処理装置への経路を算出可能な情報を含む
ことを特徴とする請求項１から４のいずれか１項に記載の情報処理装置。
【請求項６】
コンピュータを、
携帯情報処理装置の位置情報を受け付ける受付手段と、
前記位置情報の示す位置と画像処理装置との位置との間の距離を算出する算出手段と、
前記距離に基づいて、画像処理装置を選択する選択手段と、
前記選択された画像処理装置では、予め定められた文書を出力できるか否かを判断する判断手段と、
前記判断手段によって出力できると判断された画像処理装置を示す情報を前記携帯情報処理装置に送信する送信手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、予め印刷対象に指定しておいた電子データに基づく印刷処理を画像形成装置に対するユーザーの指示に応じて実行させる場合において、画像形成装置の設置場所におけるユーザーの待ち時間の短縮を図ることを課題とし、ユーザーと当該ユーザーに携帯される携帯端末装置とを対応付けすると共に、ユーザーと当該ユーザーにより印刷対象に指定されてファイル管理装置に登録されたファイルとを対応付けすることで、印刷対象に指定されたファイルと携帯端末装置とを間接的に対応付けしておき、印刷対象に指定されたファイルに対応付けられた携帯端末装置（を携帯するユーザー）と出力端末との距離を測定し、当該測定された距離が閾値以下となった携帯端末装置と出力端末との組み合わせについて、当該携帯端末装置に対応付けられたファイルを当該出力端末へダウンロードさせることが開示されている。
【０００３】
特許文献２には、端末装置を移動させる拠点に応じて、画像データの出力先となる最適な画像形成装置を自動的に選択することを課題とし、端末装置の記憶部は、ユーザー自身が行う予定になっている作業に対応する予定時間と作業位置が入力されたスケジュールＤＢを記憶しており、端末装置の制御部は、自身のタイマ機能により計時される時間が、そのスケジュールＤＢに記憶された予定時間が示すいずれかの時間になると、自端末を携帯するユーザーの移動先の位置をその予定時間に対応する作業位置にしたがって特定し、続いて、ジョブの出力となる画像形成装置のＩＰアドレスを格納する領域を制御部のＲＡＭに確保し、その領域の記憶内容を特定した移動先の位置の近傍に設置された画像形成装置のＩＰアドレスへと切り替えることが開示されている。
【先行技術文献】
【特許文献】
【０００４】
【特許文献１】特開２０１２−１１８９２２号公報
【特許文献２】特開２００７−３１０４７１号公報
【発明の概要】
【発明が解決しようとする課題】
【０００５】
本発明は、画像処理装置に文書を出力させる場合にあって、文書を出力できない画像処理装置に関する情報を送信してしまうことを抑制するようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、携帯情報処理装置の位置情報を受け付ける受付手段と、前記位置情報の示す位置と画像処理装置との位置との間の距離を算出する算出手段と、前記距離に基づいて、画像処理装置を選択する選択手段と、前記選択された画像処理装置では、予め定められた文書を出力できるか否かを判断する判断手段と、前記判断手段によって出力できると判断された画像処理装置を示す情報を前記携帯情報処理装置に送信する送信手段を具備することを特徴とする情報処理装置である。
【０００７】
請求項２の発明は、前記携帯情報処理装置から位置情報が送信されてくる日時は、前記文書を出力する予定の日時前の予め定められた期間内であることを特徴とする請求項１に記載の情報処理装置である。
【０００８】
請求項３の発明は、前記携帯情報処理装置の操作者によって、文書を出力する画像処理装置を選択する選択指示を受け付ける第２の受付手段と、前記選択された画像処理装置を出力可能とする待機状態とさせる指示を該画像処理装置に送信する第２の送信手段を具備することを特徴とする請求項１又は２に記載の情報処理装置である。
【０００９】
請求項４の発明は、前記携帯情報処理装置の操作者によって、文書を出力する画像処理装置を選択する選択指示を受け付ける第２の受付手段と、前記文書を前記選択された画像処理装置に送信する第３の送信手段を具備することを特徴とする請求項１又は２に記載の情報処理装置である。
【００１０】
請求項５の発明は、前記送信手段が送信する画像処理装置を示す情報は、前記携帯情報処理装置から該画像処理装置への経路を算出可能な情報を含むことを特徴とする請求項１から４のいずれか１項に記載の情報処理装置である。
【００１１】
請求項６の発明は、コンピュータを、携帯情報処理装置の位置情報を受け付ける受付手段と、前記位置情報の示す位置と画像処理装置との位置との間の距離を算出する算出手段と、前記距離に基づいて、画像処理装置を選択する選択手段と、前記選択された画像処理装置では、予め定められた文書を出力できるか否かを判断する判断手段と、前記判断手段によって出力できると判断された画像処理装置を示す情報を前記携帯情報処理装置に送信する送信手段として機能させるための情報処理プログラムである。
【発明の効果】
【００１２】
請求項１の情報処理装置によれば、画像処理装置に文書を出力させる場合にあって、文書を出力できない画像処理装置に関する情報を送信してしまうことを抑制することができる。
【００１３】
請求項２の情報処理装置によれば、文書を出力する予定の日時前に、携帯情報処理装置から位置情報が送信されて、その文書を出力できる画像処理装置を示す情報をその携帯情報処理装置に送信することができる。
【００１４】
請求項３の情報処理装置によれば、画像処理装置を出力可能とする待機状態とさせることができる。
【００１５】
請求項４の情報処理装置によれば、文書を選択された画像処理装置に送信することができる。
【００１６】
請求項５情報処理装置によれば、画像処理装置への経路を算出するための情報を送信することができる。
【００１７】
請求項６の情報処理プログラムによれば、画像処理装置に文書を出力させる場合にあって、文書を出力できない画像処理装置に関する情報を送信してしまうことを抑制することができる。
【図面の簡単な説明】
【００１８】
【図１】本実施の形態の構成例についての概念的なモジュール構成図である。
【図２】本実施の形態による処理例を示す説明図である。
【図３】本実施の形態による処理例を示すフローチャートである。
【図４】画像処理装置情報テーブルのデータ構造例を示す説明図である。
【図５】店舗位置情報テーブルのデータ構造例を示す説明図である。
【図６】本実施の形態による処理例を示す説明図である。
【図７】本実施の形態による処理例を示すフローチャートである。
【図８】本実施の形態による表示例を示す説明図である。
【図９】本実施の形態を実現するコンピュータのハードウェア構成例を示すブロック図である。
【図１０】本実施の形態を実現するコンピュータのハードウェア構成例を示すブロック図である。
【発明を実施するための形態】
【００１９】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２０】
本実施の形態である情報処理装置１００は、携帯情報処理装置１６０からの指示にしたがって画像処理装置１８０に文書を出力（印刷、プリントアウト）させるものであって、図１の例に示すように、画像処理装置データ格納モジュール１０５、位置情報演算モジュール１１０、印刷データ作成モジュール１１５、印刷データ格納モジュール１２０、携帯情報処理装置用通信モジュール１２５、画像処理装置用通信モジュール１３０を有している。また、情報処理装置１００は、通信回線１９９を介して、携帯情報処理装置１６０、画像処理装置１８０と接続されている。通信回線１９９は、無線、有線、又はこれらの組み合わせであってもよく、例えば、通信インフラとしてのインターネットであってもよい。また、携帯情報処理装置１６０、画像処理装置１８０は、複数あってもよい。
特に、外出中において、携帯情報処理装置１６０を所持する操作者の近傍に位置する画像処理装置１８０に文書を出力する場合に用いられるものである。
また、文書の出力は、予め定められた日時（年、月、日、時、分、秒、秒以下、又はこれらの組み合わせであってもよく、期間であってもよい）に行われる。例えば、携帯情報処理装置１６０の所持者である操作者が外出先においてプレゼンテーションに用いる文書（紙）を、外出先の近くに着いたときに、その外出先の近傍にある画像処理装置１８０で印刷することによって、その文書（紙）を用意するために設定すること等がある。もちろんのことながら、出力の日時の他に、出力する文書も予め定められている。そして、出力すべき文書は、携帯情報処理装置１６０の所持者の操作（アップロード操作）によって、予め印刷データ格納モジュール１２０に記憶されている。
【００２１】
画像処理装置データ格納モジュール１０５は、位置情報演算モジュール１１０と接続されている。画像処理装置データ格納モジュール１０５は、複数の画像処理装置１８０の位置情報等を記憶している。例えば、画像処理装置情報テーブル４００、店舗位置情報テーブル５００を記憶している。図４は、画像処理装置情報テーブル４００のデータ構造例を示す説明図である。画像処理装置情報テーブル４００は、画像処理装置種別欄４１０、ＣｏｎｔｅｎｔｓＢｒｉｄｇｅ欄４２０、対応ファイルフォーマット欄４３０、対応カラーモード欄４４０を有している。画像処理装置種別欄４１０は、画像処理装置の種別を記憶している。具体的には、画像処理装置の機種等である。ＣｏｎｔｅｎｔｓＢｒｉｄｇｅ欄４２０は、その画像処理装置で対応しているＣｏｎｔｅｎｔｓＢｒｉｄｇｅを記憶している。ＣｏｎｔｅｎｔｓＢｒｉｄｇｅとは、ファイル変換に使用するモジュール（ソフトウェア）のことである。あるＣｏｎｔｅｎｔｓＢｒｉｄｇｅでファイル変換に成功した場合、当該ファイルはそのＣｏｎｔｅｎｔｓＢｒｉｄｇｅに対応する画像処理装置で印刷可能である。対応ファイルフォーマット欄４３０は、その画像処理装置で出力可能なファイルフォーマットを記憶している。対応カラーモード欄４４０は、その画像処理装置での対応カラーモードを記憶している。例えば、カラー出力可能、白黒のみの出力可能等である。印刷データ作成モジュール１１５は、画像処理装置情報テーブル４００を用いて、出力予定の文書が、画像処理装置で出力可能か否かを判断する。つまり、出力予定の文書が、ＣｏｎｔｅｎｔｓＢｒｉｄｇｅ欄４２０、対応ファイルフォーマット欄４３０、対応カラーモード欄４４０の条件に合致するものであるか否かを判断すればよい。
【００２２】
図５は、店舗位置情報テーブル５００のデータ構造例を示す説明図である。店舗位置情報テーブル５００は、店舗欄５１０、緯度欄５２０、経度欄５３０を有している。店舗欄５１０は、画像処理装置１８０が設置されている店舗名を記憶している。なお、携帯情報処理装置１６０の所持者が操作可能であれば、店舗に限らず、画像処理装置１８０が設置されている場所であればよい。緯度欄５２０は、その店舗が位置する緯度を記憶している。経度欄５３０は、その店舗が位置する経度を記憶している。位置情報演算モジュール１１０は、店舗位置情報テーブル５００を用いて、携帯情報処理装置１６０の現在位置と各画像処理装置１８０がある店舗との距離を算出する。具体的には、現在位置と店舗との直線距離を算出してもよいし、地図上における経路（携帯情報処理装置１６０の所持者が歩く道筋）における距離であってもよい。そして、距離の昇順（距離が短い順）で、予め定められた順位までの画像処理装置１８０を選択してもよいし、予め定められた距離未満又は以下にある画像処理装置１８０を選択するようにしてもよい。選択する画像処理装置１８０は複数であってもよい。
また、店舗位置情報テーブル５００に、その店舗の開業時間等の欄を設けてもよい。つまり、出力予定時刻において、店舗が閉店していたならば画像処理装置１８０が使用できない状態（出力できない状態）として取り扱う。
【００２３】
位置情報演算モジュール１１０は、画像処理装置データ格納モジュール１０５、携帯情報処理装置用通信モジュール１２５と接続されている。位置情報演算モジュール１１０は、携帯情報処理装置用通信モジュール１２５を介して、携帯情報処理装置１６０の位置情報を受け付ける。そして、その位置情報の示す位置と画像処理装置１８０との位置との間の距離を算出する。具体的には、画像処理装置データ格納モジュール１０５内の店舗位置情報テーブル５００を用いて、前述したように距離を算出する。一般的に、距離を算出する対象となる画像処理装置１８０は複数ある。さらに、その距離に基づいて、画像処理装置１８０を選択する。選択する画像処理装置１８０は、複数あってもよい。
また、携帯情報処理装置１６０から位置情報が送信されてくる日時は、文書を出力する予定の日時前の予め定められた期間内（例えば、予定日時の前の数十分以内、また、予定日時後の予め定められた期間を含めてもよい）である。そのために、携帯情報処理装置１６０は、現在の日時を検知し、文書を出力する予定日時になったら、現在の位置を示す位置情報を情報処理装置１００に送信する。日時の検知は、携帯情報処理装置１６０に内蔵されている時計から検知してもよいし、通信回線１９９を介して他の情報処理装置から得るようにしてもよい。また、文書を出力する予定日時の用い方として、例えば、携帯情報処理装置１６０の所持者である操作者が外出先でプレゼンテーションに用いる文書（紙）を、その外出先の近傍にある画像処理装置１８０で印刷することによって、その文書（紙）を用意するために設定すること等がある。
また、位置情報演算モジュール１１０が送信する画像処理装置１８０を示す情報は、携帯情報処理装置１６０から画像処理装置１８０への経路を算出可能な情報を含むようにしてもよい。その情報を受け取った携帯情報処理装置１６０は、現在地から目的とする画像処理装置１８０への経路を算出し、その経路を携帯情報処理装置１６０のディスプレイ等の表示装置に表示するようにしてもよい。例えば、地図情報を通信回線１９９を介して他の情報処理装置から得て、経路を算出し、地図上に経路を表示するようにしてもよい。
【００２４】
印刷データ作成モジュール１１５は、印刷データ格納モジュール１２０、携帯情報処理装置用通信モジュール１２５と接続されている。印刷データ作成モジュール１１５は、位置情報演算モジュール１１０によって選択された画像処理装置１８０では、予め定められた文書を出力できるか否かを判断する。そして、出力できると判断された画像処理装置１８０を示す情報を、携帯情報処理装置用通信モジュール１２５を介して携帯情報処理装置１６０に送信する。
また、印刷データ作成モジュール１１５は、携帯情報処理装置１６０の操作者によって、文書を出力する画像処理装置１８０を選択する選択指示を、携帯情報処理装置用通信モジュール１２５を介して受け付けるようにしてもよい。そして、その選択された画像処理装置１８０を出力可能とする待機状態とさせる指示を、その画像処理装置１８０に画像処理装置用通信モジュール１３０を介して送信する。「画像処理装置１８０を出力可能とする待機状態とさせる」とは、画像処理装置１８０をウォームアップさせる指示である。
また、印刷データ作成モジュール１１５は、携帯情報処理装置１６０の操作者によって、文書を出力する画像処理装置１８０を選択する選択指示を、携帯情報処理装置用通信モジュール１２５を介して受け付けるようにしてもよい。そして、出力すべき文書を、選択された画像処理装置１８０に画像処理装置用通信モジュール１３０を介して送信する。
また、印刷データ作成モジュール１１５は、出力予定の文書を画像処理装置１８０で出力可能な文書に変換するようにしてもよい。
また、印刷データ作成モジュール１１５は、画像処理装置１８０に対応する印刷用ファイルが印刷データ格納モジュール１２０内になければ、ファイル変換を開始するようにしてもよい。つまり、携帯情報処理装置１６０の位置情報をファイル変換のトリガとする。
【００２５】
印刷データ格納モジュール１２０は、印刷データ作成モジュール１１５、画像処理装置用通信モジュール１３０と接続されている。印刷データ格納モジュール１２０は、印刷用データである出力予定の文書を記憶している。
携帯情報処理装置用通信モジュール１２５は、位置情報演算モジュール１１０、印刷データ作成モジュール１１５と接続されており、また、通信回線１９９を介して携帯情報処理装置１６０の通信モジュール１６５、画像処理装置１８０の通信モジュール１８５と接続されている。携帯情報処理装置用通信モジュール１２５は、通信回線１９９を介して、携帯情報処理装置１６０との間で通信を行う。
画像処理装置用通信モジュール１３０は、印刷データ格納モジュール１２０と接続されており、また、通信回線１９９を介して携帯情報処理装置１６０の通信モジュール１６５、画像処理装置１８０の通信モジュール１８５と接続されている。画像処理装置用通信モジュール１３０は、通信回線１９９を介して、画像処理装置１８０との間で通信を行う。
【００２６】
携帯情報処理装置１６０は、通信モジュール１６５、位置検出モジュール１７０、位置情報演算モジュール１７５を有している。
通信モジュール１６５は、画像処理装置１８０の通信モジュール１８５と接続されており、また、通信回線１９９を介して情報処理装置１００の携帯情報処理装置用通信モジュール１２５、画像処理装置用通信モジュール１３０と接続されている。通信モジュール１６５は、通信回線１９９を介して、情報処理装置１００、画像処理装置１８０との間で通信を行う。
位置検出モジュール１７０は、携帯情報処理装置１６０の位置（携帯情報処理装置１６０を所持している操作者の位置）を検出する。位置検出として、例えば、ＧＰＳ（Ｇｌｏｂａｌ  Ｐｏｓｉｔｉｏｎｉｎｇ  Ｓｙｓｔｅｍ（汎地球測位システム））が出力する位置情報、携帯電話網に用いられている基地局の位置情報を用いればよい。
位置情報演算モジュール１７５は、情報処理装置１００から受信した画像処理装置１８０の位置情報と位置検出モジュール１７０が検出した位置情報を用いて、現在位置から画像処理装置１８０までの経路を算出する。そして、地図上にその経路を表示するようにしてもよい。
【００２７】
画像処理装置１８０は、通信モジュール１８５、印刷処理モジュール１９０を有している。
通信モジュール１８５は、印刷処理モジュール１９０、携帯情報処理装置１６０の通信モジュール１６５と接続されており、また、通信回線１９９を介して情報処理装置１００の携帯情報処理装置用通信モジュール１２５、画像処理装置用通信モジュール１３０と接続されている。通信モジュール１８５は、通信回線１９９を介して、情報処理装置１００、携帯情報処理装置１６０との間で通信を行う。
印刷処理モジュール１９０は、情報処理装置１００から送信されてきた文書を出力する。なお、画像処理装置１８０は、休止状態から出力可能となるまでにウォームアップが必要であるものであってもよい。
【００２８】
図２は、本実施の形態による概略の処理例を示す説明図である。図１の例に示した情報処理装置１００は、データセンター２００として実現している。具体的には、Ｗｅｂサーバー２１０は携帯情報処理装置用通信モジュール１２５に相当し、アプリケーションサーバー２２０は画像処理装置用通信モジュール１３０に相当し、ファイルサーバー２３０は印刷データ格納モジュール１２０に相当する。そして、画像処理装置データ格納モジュール１０５、位置情報演算モジュール１１０、印刷データ作成モジュール１１５は、Ｗｅｂサーバー２１０、アプリケーションサーバー２２０、ファイルサーバー２３０のいずれかに実装される。例えば、画像処理装置データ格納モジュール１０５、位置情報演算モジュール１１０、印刷データ作成モジュール１１５をアプリケーションサーバー２２０に実装してもよい。そして、画像処理装置１８０ａはＡ店舗２８０ａに設置され、画像処理装置１８０ｂはＢ店舗２８０ｂに設置され、画像処理装置１８０ｃはＣ店舗２８０ｃに設置されている。
データセンター２００には、複数の画像処理装置１８０の位置情報（緯度、経度）が保存されている。携帯情報処理装置１６０（ユーザー２６０）から送信されたユーザー２６０の位置情報と画像処理装置１８０の位置情報をもとに、ユーザー２６０と画像処理装置１８０の直線距離を算出する。また、算出結果を予め定められた距離（又は順位付け）でフィルタリングし、携帯情報処理装置１６０へ送信する。
携帯情報処理装置１６０（ユーザー２６０）は、現在の位置情報を取得し、情報処理装置１００へ送信する。また、情報処理装置１００にてフィルタリングされた画像処理装置１８０の位置情報と、ＧＰＳで取得した位置情報を用いて、現在地から画像処理装置１８０までのルートと、距離を算出する。
画像処理装置情報テーブル４００は、画像処理装置１８０毎に、情報処理装置１００側で使用されるＣｏｎｔｅｎｔｓＢｒｉｄｇｅが異なる。あるＣｏｎｔｅｎｔｓＢｒｉｄｇｅを用いてファイル変換に成功した場合、当該ファイルはそのＣｏｎｔｅｎｔｓＢｒｉｄｇｅに対応する画像処理装置１８０で印刷可能である。
【００２９】
具体的には、以下のような処理が行われる。
ユーザー２６０の操作によって、予め携帯情報処理装置１６０からＷｅｂサーバー２１０へオリジナルファイル２５０が送信される。
そして、ユーザー２６０が携帯情報処理装置１６０を所持して外出しており、Ａ店舗２８０ａ、Ｂ店舗２８０ｂ、Ｃ店舗２８０ｃの近傍にいて、オリジナルファイル２５０を印刷する予め定められた時間になったとする。携帯情報処理装置１６０は、現在時刻を検出し、オリジナルファイル２５０を印刷すべき予め定められた日時であると判断し、携帯情報処理装置１６０の現在位置をＷｅｂサーバー２１０に送信する。Ｗｅｂサーバー２１０は、携帯情報処理装置１６０の位置情報（ユーザー２６０の位置情報）をアプリケーションサーバー２２０に渡し、アプリケーションサーバー２２０は、携帯情報処理装置１６０と画像処理装置１８０ａ、画像処理装置１８０ｂ、画像処理装置１８０ｃとの間の距離を算出し、それらを選択する。そして、オリジナルファイル２５０をそれぞれの画像処理装置１８０で印刷できるか否かを判断する。ここでは、画像処理装置１８０ａと画像処理装置１８０ｂで印刷できると判断したとする。例えば、オリジナルファイル２５０のフォーマットと各画像処理装置１８０が対応しているフォーマット（画像処理装置情報テーブル４００の対応ファイルフォーマット欄４３０参照）が合致しているか否かによって判断してもよい。また、オリジナルファイル２５０を各画像処理装置１８０用のファイルに変換する処理を行い、実際に変換できたか否かで判断するようにしてもよい。そして、オリジナルファイル２５０を変換してＡ店舗での印刷用ファイル２６０ａ、Ｂ店舗での印刷用ファイル２６０ｂを生成し、ファイルサーバー２３０に記憶させる。また、アプリケーションサーバー２２０による判断結果（どの店舗で印刷できるかを示す情報）をＷｅｂサーバー２１０が携帯情報処理装置１６０に送信する。
一方、携帯情報処理装置１６０は、Ａ店舗２８０ａ、Ｂ店舗２８０ｂで印刷可能であることをＷｅｂサーバー２１０から受信して表示する。ユーザー２６０の操作によって携帯情報処理装置１６０から画像処理装置１８０ａで印刷するとの選択指示がＷｅｂサーバー２１０に送信され、その選択指示がＷｅｂサーバー２１０からアプリケーションサーバー２２０に渡される。アプリケーションサーバー２２０は、ファイルサーバー２３０からＡ店舗での印刷用ファイル２６０ａを抽出し、Ａ店舗２８０ａの画像処理装置１８０ａに送信する。また、携帯情報処理装置１６０では、現在位置からＡ店舗２８０ａまでの経路を地図上に表示し、ユーザー２６０がＡ店舗２８０ａに行き、画像処理装置１８０ａでＡ店舗での印刷用ファイル２６０ａ（オリジナルファイル２５０）の印刷操作を行う。
【００３０】
図３は、本実施の形態による処理例を示すフローチャートである。また、この処理例について図６を用いて説明する。
ステップＳ３０２では、指定日時であるか否かを判断し、指定日時である場合はステップＳ３０４へ進み、それ以外の場合は指定日時になるまで待機する。
ステップＳ３０４では、位置検出モジュール１７０が、現在の位置を検出する。例えば、ＧＰＳを用いればよい。
ステップＳ３０６では、通信モジュール１６５が、位置情報を情報処理装置１００に送信する。図６の例に示すように、携帯情報処理装置１６０の現在位置をデータセンター２００に送信する。
ステップＳ３０８では、情報処理装置１００が、印刷可能な画像処理装置１８０を抽出し、携帯情報処理装置１６０へ送信する。図６の例に示すように、携帯情報処理装置１６０の現在地の位置情報と各店舗２８０の位置情報より直線距離を算出し、上位数件（距離が近い数件）の画像処理装置１８０の位置情報を携帯情報処理装置１６０へ返す。このステップＳ３０８の詳細な処理については、図７の例に示すフローチャートを用いて後述する。
ステップＳ３１０では、通信モジュール１６５が、印刷可能な画像処理装置１８０の位置を受信する。
【００３１】
ステップＳ３１２では、ユーザー２６０の操作によって携帯情報処理装置１６０が、印刷する画像処理装置１８０を決定する。
ステップＳ３１４では、位置情報演算モジュール１７５が、現在地からその画像処理装置１８０までのルートを算出する。図６の例に示すように、携帯情報処理装置１６０は、各店舗２８０までのルートを算出して、携帯情報処理装置１６０のディスプレイの地図上にそのルートを表示する。
ステップＳ３１６では、通信モジュール１６５が、決定した画像処理装置１８０を情報処理装置１００に送信する。
ステップＳ３１８では、印刷データ作成モジュール１１５が、決定した画像処理装置１８０で印刷可能な印刷データを印刷データ格納モジュール１２０から抽出する。
ステップＳ３２０では、携帯情報処理装置用通信モジュール１２５が、印刷データを決定した画像処理装置１８０に送信する。
【００３２】
ステップＳ３２２では、通信モジュール１８５が、印刷データを受信する。
ステップＳ３２４では、印刷処理モジュール１９０が、受信した印刷データを印刷するためのウォームアップを開始する。
ステップＳ３２６では、ユーザー２６０の操作によって印刷処理モジュール１９０が、印刷データを印刷する。
【００３３】
図７は、本実施の形態による処理例（図３の例に示すフローチャートのステップＳ３０８の処理例）を示すフローチャートである。この処理では、携帯情報処理装置１６０に最も近い画像処理装置１８０を１つ特定するようにしているが、複数の画像処理装置１８０を候補として抽出するようにしてもよい。
ステップＳ７０２では、位置情報演算モジュール１１０が、画像処理装置データ格納モジュール１０５内のデータを用いて、携帯情報処理装置１６０の現在地に最も近い画像処理装置１８０を特定する。
ステップＳ７０４では、印刷データ作成モジュール１１５が、特定した画像処理装置１８０に対応するＣｏｎｔｅｎｔｓＢｒｉｄｇｅのバージョンを画像処理装置情報テーブル４００より確認する。つまり、特定した画像処理装置１８０に対応するＣｏｎｔｅｎｔｓＢｒｉｄｇｅで変換されたファイルが画像処理装置情報テーブル４００にあれば、その画像処理装置１８０で印刷可能である。逆にそのファイルが画像処理装置情報テーブル４００になければ、印刷は保証できない。
ステップＳ７０６では、印刷データ作成モジュール１１５が、ステップＳ７０４で確認したＣｏｎｔｅｎｔｓＢｒｉｄｇｅを用いて変換されたファイルが印刷データ格納モジュール１２０にあるか否かを確認する。
【００３４】
ステップＳ７０８では、印刷データ作成モジュール１１５が、ステップＳ７０６でのファイルが印刷データ格納モジュール１２０にあるか否かを判断し、ある場合はステップＳ７１６へ進み、ない場合はステップＳ７１０へ進む。
ステップＳ７１０では、印刷データ作成モジュール１１５が、ステップＳ７０８で確認したＣｏｎｔｅｎｔｓＢｒｉｄｇｅを用いてファイル変換を実施する。
ステップＳ７１２では、印刷データ作成モジュール１１５が、ファイル変換が成功したか否かを判断し、成功した場合はステップＳ７１６へ進み、失敗した場合はステップＳ７１４へ進む。基本的に成功するまで現在地に近い順にファイル変換処理を繰り返す。ただし、ファイル変換が失敗すると事前にわかっている場合は、そのファイル変換処理はスキップする。ファイル変換が失敗すると事前にわかっている場合とは、例えば「その画像処理装置の機種に対応するファイル変換がすでに失敗済み」で、かつ「ファイル変換の失敗原因がその機種に依存する」場合等である。
ステップＳ７１４では、次に近い画像処理装置１８０を特定し、ステップＳ７０４に戻る。つまり、複数の画像処理装置１８０に対して距離が算出されているので、ファイル変換が失敗した画像処理装置１８０の次に近い画像処理装置１８０を特定できる。
ステップＳ７１６では、携帯情報処理装置用通信モジュール１２５が、特定した画像処理装置１８０の情報をユーザー２６０（具体例として、そのユーザー２６０のメールアドレス）へ送信する。
【００３５】
図８は、本実施の形態による表示例を示す説明図である。
ファイル変換処理に失敗が含まれる場合、携帯情報処理装置１６０に送信するメッセージに「そのスポットでは印刷できない旨」を通知するものとする。印刷できない理由を含めてもよい。例えば、情報処理装置１００は、以下の旨を示す情報を携帯情報処理装置１６０に送信し、携帯情報処理装置１６０は、携帯情報処理装置１６０のディスプレイの表示領域８１０に図８のように表示する。
・××商店では印刷できません（このスポットではＰＤＦを出力できません。）
・△△モールでは印刷できません（このスポットは営業時間外です。）
・○○ホテルで印刷可能です⇒詳細はこちら（リンク）
○○ホテルで印刷しますか？「はい／いいえ」
このように表示することによって、ユーザー２６０は「印刷不可な画像処理装置」に対しての情報も得ることができるため、印刷スポットに着いた後で印刷できないという事態を防ぐこととなる。
また、予め定められた文書を出力できる画像処理装置１８０が１つだけの場合、例えば、「○○（ファイル名）を、ここで印刷できます。⇒  ｈｔｔｐ：／／（地図情報）」のように表示してもよい。
【００３６】
そして、図８の例に示したメッセージに対してユーザー２６０は「はい／いいえ（今からここで印刷するかどうか？）」を選択できる。
「はい」が選択された場合に、画像処理装置１８０はウォームアップを始めてもよい。
また、「はい」が選択された場合に、画像処理装置１８０は情報処理装置１００から該当ファイルをダウンロードしてもよい。
「はい」が選択された場合に、携帯情報処理装置１６０は現在地から画像処理装置１８０までのルートを地図を用いて表示領域８１０に表示するようにしてもよい。
「いいえ」が選択された場合に、情報処理装置１００上の該当ファイルを削除してもよい。
【００３７】
なお、本実施の形態としてのプログラムが実行されるコンピュータ（情報処理装置１００、携帯情報処理装置１６０）のハードウェア構成は、図９に例示するように、一般的なコンピュータであり、具体的にはパーソナルコンピュータ、サーバーとなり得るコンピュータ等である。つまり、具体例として、処理部（演算部）としてＣＰＵ９０１を用い、記憶装置としてＲＡＭ９０２、ＲＯＭ９０３、ＨＤ９０４を用いている。ＨＤ９０４として、例えばハードディスクを用いてもよい。画像処理装置データ格納モジュール１０５、位置情報演算モジュール１１０、印刷データ作成モジュール１１５、印刷データ格納モジュール１２０、携帯情報処理装置用通信モジュール１２５、画像処理装置用通信モジュール１３０、通信モジュール１６５、位置検出モジュール１７０、位置情報演算モジュール１７５等のプログラムを実行するＣＰＵ９０１と、そのプログラムやデータを記憶するＲＡＭ９０２と、本コンピュータを起動するためのプログラム等が格納されているＲＯＭ９０３と、補助記憶装置（フラッシュメモリ等であってもよい）であるＨＤ９０４と、キーボード、マウス、タッチパネル等に対する利用者の操作に基づいてデータを受け付ける受付装置９０６と、ＣＲＴ、液晶ディスプレイ等の出力装置９０５と、ネットワークインタフェースカード等の通信ネットワークと接続するための通信回線インタフェース９０７、そして、それらをつないでデータのやりとりをするためのバス９０８により構成されている。これらのコンピュータが複数台互いにネットワークによって接続されていてもよい。
【００３８】
図１０を参照して、本実施の形態のうち画像処理装置１８０のハードウェア構成例について説明する。図１０に示す構成は、例えばパーソナルコンピュータ（ＰＣ）などによって構成されるものであり、スキャナ等のデータ読み取り部１０１７と、プリンタなどのデータ出力部１０１８を備えたハードウェア構成例を示している。
【００３９】
ＣＰＵ（Ｃｅｎｔｒａｌ  Ｐｒｏｃｅｓｓｉｎｇ  Ｕｎｉｔ）１００１は、前述の実施の形態において説明した各種のモジュール、すなわち、通信モジュール１８５、印刷処理モジュール１９０等の各モジュールの実行シーケンスを記述したコンピュータ・プログラムにしたがった処理を実行する制御部である。
【００４０】
ＲＯＭ（Ｒｅａｄ  Ｏｎｌｙ  Ｍｅｍｏｒｙ）１００２は、ＣＰＵ１００１が使用するプログラムや演算パラメータ等を格納する。ＲＡＭ（Ｒａｎｄｏｍ  Ａｃｃｅｓｓ  Ｍｅｍｏｒｙ）１００３は、ＣＰＵ１００１の実行において使用するプログラムや、その実行において適宜変化するパラメータ等を格納する。これらはＣＰＵバスなどから構成されるホストバス１００４により相互に接続されている。
【００４１】
ホストバス１００４は、ブリッジ１００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１００６に接続されている。
【００４２】
キーボード１００８、マウス等のポインティングデバイス１００９は、操作者により操作される入力デバイスである。ディスプレイ１０１０は、液晶表示装置又はＣＲＴ（Ｃａｔｈｏｄｅ  Ｒａｙ  Ｔｕｂｅ）などがあり、各種情報をテキストやイメージ情報として表示する。
【００４３】
ＨＤＤ（Ｈａｒｄ  Ｄｉｓｋ  Ｄｒｉｖｅ）１０１１は、ハードディスクを内蔵し、ハードディスクを駆動し、ＣＰＵ１００１によって実行するプログラムや情報を記録又は再生させる。ハードディスクには、出力すべき画像などが格納される。さらに、その他の各種のデータ処理プログラム等、各種コンピュータ・プログラムが格納される。
【００４４】
ドライブ１０１２は、装着されている磁気ディスク、光ディスク、光磁気ディスク、又は半導体メモリ等のリムーバブル記録媒体１０１３に記録されているデータ又はプログラムを読み出して、そのデータ又はプログラムを、インタフェース１００７、外部バス１００６、ブリッジ１００５、及びホストバス１００４を介して接続されているＲＡＭ１００３に供給する。リムーバブル記録媒体１０１３も、ハードディスクと同様のデータ記録領域として利用可能である。
【００４５】
接続ポート１０１４は、外部接続機器１０１５を接続するポートであり、ＵＳＢ、ＩＥＥＥ１３９４等の接続部を持つ。接続ポート１０１４は、インタフェース１００７、及び外部バス１００６、ブリッジ１００５、ホストバス１００４等を介してＣＰＵ１００１等に接続されている。通信部１０１６は、通信回線に接続され、外部とのデータ通信処理を実行する。データ読み取り部１０１７は、例えばスキャナであり、ドキュメントの読み取り処理を実行する。データ出力部１０１８は、例えばプリンタであり、ドキュメントデータの出力処理を実行する。
【００４６】
なお、図１０に示す画像処理装置のハードウェア構成は、１つの構成例を示すものであり、本実施の形態は、図１０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１０に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００４７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００４８】
１００…情報処理装置
１０５…画像処理装置データ格納モジュール
１１０…位置情報演算モジュール
１１５…印刷データ作成モジュール
１２０…印刷データ格納モジュール
１２５…携帯情報処理装置用通信モジュール
１３０…画像処理装置用通信モジュール
１６０…携帯情報処理装置
１６５…通信モジュール
１７０…位置検出モジュール
１７５…位置情報演算モジュール
１８０…画像処理装置
１８５…通信モジュール
１９０…印刷処理モジュール
１９９…通信回線
【図１】
2015153374.tif 000003
【図２】
2015153374.tif 000004
【図３】
2015153374.tif 000005
【図４】
2015153374.tif 000006
【図５】
2015153374.tif 000007
【図６】
2015153374.tif 000008
【図７】
2015153374.tif 000009
【図８】
2015153374.tif 000010
【図９】
2015153374.tif 000011
【図１０】
2015153374.tif 000012